(57)【要約】【課題】本発明は、容易に取り外すことができる電源プラグを提供することを目的とする。【解決手段】本発明に係る電源プラグは電源タップに挿入され、且つ本体及び前記本体に回転可能に装着される第一回転部を備える。前記第一回転部は、第一抵抗部を備え、前記第一回転部が回転すると、第一抵抗部は前記電源タップを押圧し、前記本体を前記電源タップから離れるように移動させる。【選択図】図５
2014143201.tif 000002
【特許請求の範囲】
【請求項１】
本体と、
前記本体に回転可能に装着される第一回転部と、を備え、且つ電源タップに挿入される電源プラグであって、前記第一回転部は、第一抵抗部を備え、前記第一回転部が回転すると、前記第一抵抗部は前記電源タップを押圧し、前記本体を前記電源タップから離れるように移動させることを特徴とする電源プラグ。
【請求項２】
前記電源プラグは更に連接部を備え、前記本体にはスロットが設けられ、前記連接部は前記本体の前記スロットに係合され、前記第一回転部は前記連接部に回転可能に装着されることを特徴とする請求項１に記載の電源プラグ。
【請求項３】
前記第一回転部は、第一操作片と、前記第一操作片の両側端から斜め下方にそれぞれ延伸する２つの第一連接片と、前記第一連接片の末端から対応する第一連接片に対して斜め下方にそれぞれ延伸する２つの第一抵抗片と、を備え、前記第一抵抗部は２つを備え、前記第一抵抗部はそれぞれ前記第一抵抗片の末端に形成されることを特徴とする請求項２に記載の電源プラグ。
【請求項４】
前記第一抵抗部の内側には、装着部がそれぞれ突設され、各装着部は、対向する２つのフック部を備え、前記連接部には対向する２つの貫通孔が設けられ、前記連接部の内側には前記貫通孔に隣接して２つの当止面が形成され、前記各装着部のフック部は、対応する貫通孔を挿通し対応する当止面に当止されることを特徴とする請求項３に記載の電源プラグ。
【請求項５】
更に前記連接部に回転可能に装着され且つ前記第一回転部と同じ働きをする第二回転部を備え、前記第二回転部は、第二操作片と、前記第二操作片の両側端から斜め下方にそれぞれ延伸する２つの第二連接片と、前記第二連接片の末端から対応する第二連接片に対して斜め下方にそれぞれ延伸する２つの第二抵抗片と、前記第二抵抗片の末端に形成された２つの第二抵抗部と、を備え、前記第二抵抗部には、前記第一抵抗部の装着部が挿通する装着孔がそれぞれ設けられていることを特徴とする請求項４に記載の電源プラグ。
【発明の詳細な説明】
【技術分野】
【０００１】
本発明は、電源プラグに関するものである。
【背景技術】
【０００２】
従来の技術において、電源プラグは常に電源タップにしっかりと挿入されるため、電源プラグを取り外すのに困難であり、大きな外力を必要とする。
【発明の概要】
【発明が解決しようとする課題】
【０００３】
本発明の目的は、前記問題を解決し、容易に取り外すことができる電源プラグを提供することである。
【課題を解決するための手段】
【０００４】
上記目的を達成するために、本発明に係る電源プラグは電源タップに挿入され、且つ本体及び前記本体に回転可能に装着される第一回転部を備える。前記第一回転部は、第一抵抗部を備え、前記第一回転部が回転すると、第一抵抗部は前記電源タップを押圧し、前記本体を前記電源タップから離れるように移動させる。
【発明の効果】
【０００５】
本発明に係る電源プラグは、第一抵抗部を備え、第一抵抗部が電源タップを押圧して本体を電源タップと離れるように移動することができるので、後続の電源タップを取り外す過程を容易にすることができる。
【図面の簡単な説明】
【０００６】
【図１】本発明の実施形態に係る電源プラグの分解斜視図である。
【図２】図１に示す電源プラグの組立斜視図であり、電源プラグの第一回転部の操作片及び第二回転部の操作片が互いに離れている状態を示す図である。
【図３】図２に示す電源プラグの組立斜視図であり、電源プラグの第一回転部の操作片及び第二回転部の操作片が互いに隣接している状態を示す図である。
【図４】図２に示す状態の電源プラグが電源タップに装着されていることを示す図である。
【図５】図４に示す電源プラグを電源タップから取り外す時の状態を示す図である。
【発明を実施するための形態】
【０００７】
図１に示したように、本発明の実施形態に係る電源プラグ１００は、電源タップ３００（図４を参照）から容易に取り出すことが出来る。電源プラグ１００は、本体２０と、連接部４０と、第一回転部６２と、第二回転部６４と、を備える。
【０００８】
本体２０は、弾力性を有する絶縁材料によって製造され、円柱状のハウジング２２と、ハウジング２２に固定されている接続片２４と、接続片２４に接続されるケーブル２６と、を備える。ハウジング２２の外側面の軸方向中央部には、環状の係合スロット２２２が設けられている。
【０００９】
連接部４０は、環状部４１を備える。本実施形態において、環状部４１には、開口（図示せず）が設けられ、開口の両側には相互に係合できるフック部４２がそれぞれ設置されている。他の実施形態において、環状部４１は、開口を設けなくても良い。また、連接部４０には、互いに対向して位置する階段状を呈する２つの貫通孔４４が設けられている。各貫通孔４４は、連接部４０の外側を貫通する旋回孔４４２及び連接部４０の内側を貫通する定位孔４４４を含む。定位孔４４４の直径は旋回孔４４２の直径より大きいので、定位孔４４４と対応する旋回孔４４２との間には、当止面４４６がそれぞれ形成されている。
【００１０】
第一回転部６２は、第一操作片６２１と、第一操作片６２１の両側端から斜め下方にそれぞれ延伸する２つの弧形の第一連接片６２３と、第一連接片６２３の末端から対応する第一連接片６２３に対して斜め下方にそれぞれ延伸する２つの第一抵抗片６２６と、を備える。第一操作片６２１の一側中央部には、切欠口６２５が設けられている。第一抵抗片６２６の内側には、装着部６２７がそれぞれ突設されており、各装着部６２７は、対向し且つ弾力性を有するフック部６２８をそれぞれ備える。各第一抵抗片６２６の第一操作片６２１から離れた末端には、弧状の第一抵抗部６２９がそれぞれ形成されている。
【００１１】
第二回転部６４は、第二操作片６４１と、第二操作片６４１の両側端から斜め下方にそれぞれ延伸する２つの弧形の第二連接片６４３と、第二連接片６４３の末端から、対応する第二連接片６４３に対して斜め下方にそれぞれ延伸する２つの第二抵抗片６４６と、を備える。第二操作片６４１の一側の中央部には、切欠口６４５が設けられている。第二抵抗片６４６には、装着孔６４７がそれぞれ設けられている。各第二抵抗片６４６の第二操作片６４１から離れた末端には、弧状の第二抵抗部６４８が形成されている。
【００１２】
図２及び図３に示したように、電源プラグ１００を組み立てる際、先ず、連接部４０をハウジング２２の係合スロット２２２内に係合させた後、フック部４２を互いに係合させる。次いで、第二回転部６４の第二抵抗片６４６によって連接部４０を挟み、装着孔６４７を旋回孔４４２にそれぞれ対応させる。次に、第一回転部６２の装着部６２７を、装着孔６４７及び旋回孔４４２に挿入して、各装着部６２７のフック部６２８を互いに向けて弾性変形させる。フック部６２８は、対応する旋回孔４４２を貫通すると弾性復帰し対応する当止面４４６に当止される。これによって、第一回転部６２及び第二回転部６４は、連接部４０に回転可能に装着される。
【００１３】
図４及び図５に示したように、電源プラグ１００を使用する際、接続片２４を、電源タップ３００のソケットに挿入する。この時、第一回転部６２の第一抵抗部６２９及び第二回転部６４の第二抵抗部６４８は電源タップ３００の上面に当接し、第一操作片６２１及び第二操作片６４１は、互いに離れて位置する。電源プラグ１００を取り外す際、第二操作片６４１及び第一操作片６２１を互いに向けて動かすと、第一抵抗部６２９及び第二抵抗部６４８は、電源タップ３００の上面を押圧する。これによって、本体２０は、電源タップ３００から離れるようにやや上方へ移動する。この時、接続片２４は、電源タップ３００のソケットから少し退出する。従って、後続の電源プラグ１００を上方へ取り外す過程を容易にすることができる。またこの時、ケーブル２６は、切欠口６４５及び６２５に収容される。
【００１４】
他の実施形態において、ハウジング２２は、他の形状でも良いが、連接部４０も対応する形状にしなければならない。
【符号の説明】
【００１５】
１００  電源プラグ
２０  本体
２２  ハウジング
２２２  係合スロット
２４  接続片
２６  ケーブル
３００  電源タップ
４０  連接部
４１  環状部
４４  貫通孔
４４２  旋回孔
４４４  定位孔
４４６  当止面
６２  第一回転部
６２１第一操作片
６４１  第二操作片
６２３  第一連接片
６４３  第二連接片
６２５、６４５  切欠口
６２６第一抵抗片
６４６  第二抵抗片
６２７  装着部
６２８、４２  フック部
６２９  第一抵抗部
６４  第二回転部
６４７  装着孔
６４８  第二抵抗部
【図１】
2014143201.tif 000003
【図２】
2014143201.tif 000004
【図３】
2014143201.tif 000005
【図４】
2014143201.tif 000006
【図５】
2014143201.tif 000007